(57)【要約】【課題】ＩＢＯＣ方式のハイブリット放送搬送波を、混信や受信妨害を受けることなく、受信することを可能とするラジオ受信機を提供することを目的とする。【解決手段】ハイブリッド放送搬送波をフィルタリングして復調手段に出力するためのフィルタ（４４、４５）と、第１デジタル放送搬送波に対応する第１Ｃ／Ｎ比値及び第２デジタル放送搬送波に対応した第２Ｃ／Ｎ比値を検出するＣ／Ｎ比値検出部（４７）と、第１及び第２Ｃ／Ｎ比値に応じてフィルタの特性を制御する制御部（６０）を有するラジオ受信機（１）及びそのようなラジオ受信機における受信方法。【選択図】図１
2007142713.tif 000002
【特許請求の範囲】
【請求項１】
第１デジタル放送搬送波及び第２デジタル放送搬送波及びアナログ放送搬送波を有するハイブリット放送搬送波を受信するためのラジオ受信機であって、
前記ハイブリッド放送搬送波をフィルタリングして復調手段に出力するためのフィルタと、
前記第１デジタル放送搬送波に対応する第１Ｃ／Ｎ比値及び前記第２デジタル放送搬送波に対応した第２Ｃ／Ｎ比値を検出するＣ／Ｎ比値検出部と、
前記第１及び第２Ｃ／Ｎ比値に応じて、前記フィルタの特性を制御する制御部と、
を有することを特徴とするラジオ受信機。
【請求項２】
前記フィルタは、前記第１デジタル放送搬送波に対応した第１フィルタ及び前記第２デジタル放送搬送波に対応した第２フィルタを含み、
前記制御部は、前記第１及び第２フィルタを用いて、前記第１及び第２デジタル放送搬送波の通過特性及び非通過特性を制御する、請求項１の記載のラジオ受信機。
【請求項３】
前記Ｃ／Ｎ比値検出部は、前記アナログ放送搬送波に対応したフィルタリングがなされた場合の前記アナログ放送搬送波に対応した第３Ｃ／Ｎ比値をさらに検出し、
前記制御部は、前記第１、第２及び第３Ｃ／Ｎ比値に応じて、前記フィルタの特性を制御する、請求項２に記載のラジオ受信機。
【請求項４】
第１ＩＦ信号経路中に設けられた広帯域フィルタと、
第２ＩＦ信号経路中に設けられた狭帯域フィルタを更に有し、
前記第１フィルタは前記広帯域フィルタを通過した前記第１デジタル放送搬送波をフィルタリングし、
前記第２フィルタは前記広帯域フィルタを通過した前記第２デジタル放送搬送波をフィルタリングし、
前記第３フィルタは、前記狭帯域フィルタを通過した前記アナログ放送搬送をフィルタリングする、請求項３に記載のラジオ受信機。
【請求項５】
前記制御部は、前記第１、第２又は第３Ｃ／Ｎ比値に応じて、前記第１ＩＦ信号経路と前記第２ＩＦ信号経路との切替え制御を行う、請求項４に記載のラジオ受信機。
【請求項６】
入力されたハイブリット放送搬送波に対応したＲＦ信号を増幅するＲＦ増幅回路と、
ＲＦ信号をＩＦ信号に変換して前記第１ＩＦ信号経路及び前記第２ＩＦ信号経路に供給する周波数変換回路と、
前記第１ＩＦ信号経路における信号レベルを検出して前記ＲＦ増幅回路にフィードバックをかけるための第１ＡＧＣ信号を出力する第１信号レベル検出部と、
前記第２ＩＦ信号経路における信号レベルを検出して前記ＲＦ増幅回路にフィードバックをかけるための第２ＡＧＣ信号を出力する第２信号レベル検出部とを更に有し、
前記制御部は、前記第１ＩＦ信号経路と前記第２ＩＦ信号経路との切替えに応じて、前記第１ＡＧＣ信号と前記第２ＡＧＣ信号との切替え制御を行う、請求項５に記載のラジオ受信機。
【請求項７】
ＲＦ信号のＲＦ信号レベルを検出するＲＦ信号レベル検出部を更に有し、
前記制御部は、前記ＲＦ信号レベル、前記第１、第２及び第３Ｃ／Ｎ比値に応じて、前記フィルタ特性の制御を行う、請求項１に記載のラジオ受信機。
【請求項８】
ＲＦ信号のＲＦ信号レベルを検出するＲＦ信号レベル検出部を更に有し、
前記制御部は、前記ＲＦ信号レベル、前記第１、第２及び第３Ｃ／Ｎ比値に応じて、前記第１ＩＦ信号経路と前記第２ＩＦ信号経路との切替え制御を行う、請求項４に記載のラジオ受信機。
【請求項９】
隣接チャンネルのＲＦ信号の隣接チャンネル用ＲＦ信号レベルを検出する隣接チャンネル用ＲＦ信号レベル検出部を更に有し、
前記制御部は、前記隣接チャンネル用ＲＦ信号レベル、前記第１、第２及び第３Ｃ／Ｎ比値に応じて、前記フィルタ特性の制御を行う、請求項１に記載のラジオ受信機。
【請求項１０】
第１デジタル放送搬送波及び第２デジタル放送搬送波及びアナログ放送搬送波を有するハイブリット放送搬送波を受信する受信方法であって、
前記第１デジタル放送搬送波に対応したフィルタリングがなされた場合の前記第１デジタル放送搬送波に対応する第１Ｃ／Ｎ比値を検出し、
前記第２デジタル放送搬送波に対応したフィルタリングがなされた場合の前記第２デジタル放送搬送波に対応した第２Ｃ／Ｎ比値を検出し、
前記第１及び第２Ｃ／Ｎ比値に応じて、前記ハイブリッド放送搬送波をフィルタリングして復調手段に出力するためのフィルタの特性を制御する、
を有することを特徴とするラジオ受信機。
ステップを有することを特徴とする受信方法。
【発明の詳細な説明】
【技術分野】
【０００１】
本発明は、ラジオ受信機及び受信方法に関し、特にＩＢＯＣ（In Band on Channel)方式のハイブリッド放送搬送波に対応したＨＤ（High Definition)ラジオ受信機及びそのようなラジオ受信機における受信方法に関するものである。
【背景技術】
【０００２】
ＩＢＯＣ方式のハイブリッド放送搬送波を採用した場合、アナログ放送搬送波にデジタル放送搬送波を追加することができるため、デジタル放送搬送波に対応したＨＤラジオではデジタル放送搬送波を利用して音質を向上させることが可能となる。なお、このようなＩＢＯＣ方式のハイブリッド放送搬送波におけるデジタル放送搬送波は、周波数帯域上でアナログ放送搬送波に隣接した両側に位置するよう配置されている（例えば、特許文献１、参照）。
【０００３】
しかしながら、全ての放送局がＩＢＯＣ方式のハイブリッド放送搬送波を同時に放送するとは限らないことから、ＩＢＯＣ方式のハイブリッド放送搬送波とアナログ放送搬送波とが混在する状況が考えられる。ＩＢＯＣ方式のハイブリッド放送搬送波の周波数帯域はアナログ放送搬送波の周波数帯域より広いため、ＩＢＯＣ方式のハイブリッド放送搬送波の周波数帯域をカバーするフィルタを用いると、隣のチャネルに強い放送波がある場合に、混信や受信妨害によりノイズが発生する場合がある。
【０００４】
図７は、ＩＢＯＣ方式のハイブリッド放送搬送波の混信・受信妨害の発生を説明するための図である。
【０００５】
図７に示す７０１〜７０５は、ＦＭ放送において、２００ｋＨｚごとに配置された割当周波数である。ここでは、７０３の割当周波数を中心周波数とするＩＢＯＣ方式のＦＭハイブリッド放送搬送波７１０と、７０４の割当周波数を中心周波数とするＦＭアナログ放送搬送波７２０が、隣接するチャンネルに配置されている場合を示している。ＩＢＯＣ方式のＦＭハイブリッド放送搬送波７１０の周波数帯域幅は約４００ｋＨｚであるため、その全てをカバーするようなデジタル受信用の広帯域フィルタ７３０を用いると、ＦＭアナログ放送搬送波７２０の一部と重なり、混信や受信妨害によりノイズが発生する。
【０００６】
【特許文献１】特開２０００−４１７４号公報（図５、３頁）
【発明の開示】
【発明が解決しようとする課題】
【０００７】
そこで、本発明は、ＩＢＯＣ方式のハイブリット放送搬送波を、混信や受信妨害を受けることなく、受信することを可能とするラジオ受信機を提供することを目的とする。
【課題を解決するための手段】
【０００８】
上記目的を達成するために、本発明に係るラジオ受信機は、ハイブリッド放送搬送波をフィルタリングして復調手段に出力するためのフィルタと、第１デジタル放送搬送波に対応する第１Ｃ／Ｎ比値及び第２デジタル放送搬送波に対応した第２Ｃ／Ｎ比値を検出するＣ／Ｎ比値検出部と、第１及び第２Ｃ／Ｎ比値に応じて、フィルタの特性を制御する制御部を有することを特徴とする。
【０００９】
さらに、本発明に係るラジオ受信機では、フィルタは、第１デジタル放送搬送波に対応した第１フィルタ及び第２デジタル放送搬送波に対応した第２フィルタを含み、制御部は、第１及び第２フィルタを用いて、第１及び第２デジタル放送搬送波の通過特性及び非通過特性を制御することが好ましい。
【００１０】
さらに、本発明に係るラジオ受信機では、Ｃ／Ｎ比値検出部は、アナログ放送搬送波に対応したフィルタリングがなされた場合のアナログ放送搬送波に対応した第３Ｃ／Ｎ比値をさらに検出し、制御部は、第１、第２及び第３Ｃ／Ｎ比値に応じて、フィルタの特性を制御することが好ましい。３つの放送搬送波に対応した３つのＣ／Ｎ比値に応じて、最適なフィルタ特性となるように制御する構成とした。
【００１１】
さらに、本発明に係るラジオ受信機では、第１ＩＦ信号経路中に設けられた広帯域フィルタと、第２ＩＦ信号経路中に設けられた狭帯域フィルタを更に有し、第１フィルタは広帯域フィルタを通過した第１デジタル放送搬送波をフィルタリングし、第２フィルタは広帯域フィルタを通過した第２デジタル放送搬送波をフィルタリングし、第３フィルタは、狭帯域フィルタを通過したアナログ放送搬送をフィルタリングすることが好ましい。ＩＢＯＣ方式のハイブリット放送搬送波のプロファイルに対応して３つのフィルタを構成した。
【００１２】
さらに、本発明に係るラジオ受信機では、制御部は、第１、第２又は第３Ｃ／Ｎ比値に応じて、第１ＩＦ信号経路と第２ＩＦ信号経路との切替え制御を行うことが好ましい。２つのＩＦ信号経路を設けるように構成した。
【００１３】
さらに、本発明に係るラジオ受信機では、入力されたハイブリット放送搬送波に対応したＲＦ信号を増幅するＲＦ増幅回路と、ＲＦ信号をＩＦ信号に変換して第１ＩＦ信号経路及び第２ＩＦ信号経路に供給する周波数変換回路と、第１ＩＦ信号経路における信号レベルを検出してＲＦ増幅回路にフィードバックをかけるための第１ＡＧＣ信号を出力する第１信号レベル検出部と、第２ＩＦ信号経路における信号レベルを検出してＲＦ増幅回路にフィードバックをかけるための第２ＡＧＣ信号を出力する第２信号レベル検出部とを更に有し、制御部は第１ＩＦ信号経路と第２ＩＦ信号経路との切替えに応じて、第１ＡＧＣ信号と第２ＡＧＣ信号との切替え制御を行うことが好ましい。２つの信号経路の切替に応じて、ＡＧＣ信号の切替を行うように構成した。
【００１４】
さらに、本発明に係るラジオ受信機では、ＲＦ信号のＲＦ信号レベルを検出するＲＦ信号レベル検出部を更に有し、制御部は、ＲＦ信号レベル、第１、第２及び第３Ｃ／Ｎ比値に応じて、フィルタ特性の制御を行うことが好ましい。３つのＣ／Ｎ比値だけでなく、信号レベルによる信号強度をも加味して、最適なフィルタ特性に制御できる構成とした。
【００１５】
さらに、本発明に係るラジオ受信機では、ＲＦ信号のＲＦ信号レベルを検出するＲＦ信号レベル検出部を更に有し、制御部はＲＦ信号レベル、第１、第２及び第３Ｃ／Ｎ比値に応じて、第１ＩＦ信号経路と第２ＩＦ信号経路との切替え制御を行うことが好ましい。３つのフィルタに対応したＣ／Ｎ比値だけでなく、信号レベルによる信号強度をも加味して、最適なＩＦ信号経路に切替られるように構成した。
【００１６】
さらに、本発明に係るラジオ受信機では、隣接チャンネルのＲＦ信号の隣接チャンネル用ＲＦ信号レベルを検出する隣接チャンネル用ＲＦ信号レベル検出部を更に有し、制御部は、隣接チャンネル用ＲＦ信号レベル、第１、第２及び第３Ｃ／Ｎ比値に応じて、フィルタ特性の制御を行うことが好ましい。隣接チャンネルの信号強度をも加味して、最適なフィルタ特性に制御できるように構成した。
【００１７】
上記目的を達成するために、本発明に係る受信方法は、第１デジタル放送搬送波に対応したフィルタリングがなされた場合の第１デジタル放送搬送波に対応する第１Ｃ／Ｎ比値を検出し、第２デジタル放送搬送波に対応したフィルタリングがなされた場合の第２デジタル放送搬送波に対応した第２Ｃ／Ｎ比値を検出し、第１及び第２Ｃ／Ｎ比値に応じてハイブリッド放送搬送波をフィルタリングして復調手段に出力するためのフィルタの特性を制御するステップを有することを特徴とする。
【００１８】
上記目的を達成するために、本発明に係るラジオ受信機は、デジタル放送搬送波に対応したデジタル波用フィルタと、アナログ放送搬送波に対応したアナログ波用フィルタと、デジタル波用フィルタを通過したデジタル放送搬送波に対応するデジタル波用Ｃ／Ｎ比値及びアナログ波用フィルタを通過したアナログ放送搬送波に対応したアナログ波用Ｃ／Ｎ比値を検出するＣ／Ｎ比値検出部と、デジタル波用Ｃ／Ｎ比値及びアナログ波用Ｃ／Ｎ比値に応じて、デジタル波用フィルタとアナログ波用フィルタとの切替え制御を行う制御部を有することを特徴とする。
【００１９】
さらに、本発明に係るラジオ受信機では、デジタル波用フィルタはデジタル波用ＩＦ信号経路中に設けられ、アナログ波用フィルタはアナログ波用ＩＦ信号経路中に設けられ、制御部はデジタル波用Ｃ／Ｎ比値及びアナログ波用Ｃ／Ｎ比値に応じて、デジタル波用ＩＦ信号経路とアナログ波用ＩＦ信号経路との切替え制御を行うことが好ましい。２つのＩＦ信号経路を設けるように構成した。
【００２０】
さらに、本発明に係るラジオ受信機では、入力されたハイブリット放送搬送波に対応したＲＦ信号を増幅するＲＦ増幅回路と、ＲＦ信号をＩＦ信号に変換してデジタル波用ＩＦ信号経路とアナログ波用ＩＦ信号経路に供給する周波数変換回路と、デジタル波用ＩＦ信号経路における信号レベルを検出してＲＦ増幅回路にフィードバックをかけるためのデジタル波用ＡＧＣ信号を出力するデジタル波用信号レベル検出部と、アナログ波用ＩＦ信号経路における信号レベルを検出してＲＦ増幅回路にフィードバックをかけるためのアナログ波用ＡＧＣ信号を出力するアナログ波用信号レベル検出部とを更に有し、制御部はデジタル波用ＩＦ信号経路とアナログ波用ＩＦ信号経路との切替えに応じてデジタル波用ＡＧＣ信号とアナログ波用ＡＧＣ信号との切替え制御を行うことが好ましい。２つの信号経路の切替に応じて、ＡＧＣ信号の切替を行うように構成した。
【００２１】
さらに、本発明に係るラジオ受信機では、ＲＦ信号のＲＦ信号レベルを検出するＲＦ信号レベル検出部を更に有し、制御部はＲＦ信号レベル、デジタル波用Ｃ／Ｎ比値及びアナログ波用Ｃ／Ｎ比値に応じて、デジタル波用フィルタとアナログ波用フィルタとの切替え制御を行うことが好ましい。２つのフィルタに対応したＣ／Ｎ比値だけでなく、信号レベルによる信号強度をも加味して、最適なフィルタに切替られるように構成した。
【００２２】
さらに、本発明に係るラジオ受信機では、ＲＦ信号のＲＦ信号レベルを検出するＲＦ信号レベル検出部を更に有し、制御部はＲＦ信号レベル、デジタル波用Ｃ／Ｎ比値及びアナログ波用Ｃ／Ｎ比値に応じてデジタル波用ＩＦ信号経路とアナログ波用ＩＦ信号経路との切替え制御を行うことが好ましい。２つのフィルタに対応したＣ／Ｎ比値だけでなく、信号レベルによる信号強度をも加味して、最適なＩＦ信号経路に切替られるように構成した。
【００２３】
さらに、本発明に係るラジオ受信機では、隣接チャンネルのＲＦ信号の隣接チャンネル用ＲＦ信号レベルを検出する隣接チャンネル用ＲＦ信号レベル検出部を更に有し、制御部はＲＦ信号レベル、デジタル波用Ｃ／Ｎ比値及びアナログ波用Ｃ／Ｎ比値に応じて、デジタル波用フィルタとアナログ波用フィルタとの切替え制御を行うことが好ましい。隣接チャンネルの信号強度をも加味して、最適なフィルタに切替られるように構成した。
【００２４】
さらに、本発明に係るラジオ受信機では、制御部は、デジタル波用ＩＦ信号経路とアナログ波用ＩＦ信号経路とをヒステリシス設定をもって切替え制御を行うことが好ましい。例えば、切替による音切れを防止しつつ、さらにデジタル放送搬送波の受信時間を長くするようなヒステリシス設定を取れるように構成した。
【発明の効果】
【００２５】
本発明に係るラジオ受信機によれば、ＩＢＯＣ方式のハイブリッド放送搬送波に対して影響を与える強い放送波を避けて受信するようにフィルタ特性を制御することができるので、混信や受信妨害を受けることなく、ＩＢＯＣ方式のハイブリッド放送搬送波を受信することが可能となる。
【発明を実施するための最良の形態】
【００２６】
以下図面を参照して、本発明に係るラジオ受信機について説明する。
【００２７】
図１は、本発明に係わるラジオ受信機の一例（ＦＭ放送用）の概要を示す図である。
【００２８】
ラジオ受信機１は、チューナ部２０、狭帯域アナログ波用フィルタ３０、ＩＦ（Intermediate Frequency）信号処理部４０、ＩＢＯＣ処理部５０、ＣＰＵ等から構成される制御部６０、メモリ７０、操作部７２、ＡＭ復調部８０、ＦＭ復調部８２、切替部８４、Ｄ／Ａ変換部８６等から構成され、アンテナ１０及びスピーカ９０と接続されている。
【００２９】
チューナ部２０は、アンテナ１０からのＲＦ信号を受信する電子同調方式の同調回路２１、混合回路２２、ＰＬＬ回路２３、帯域幅約４００ｋＨｚのデジタル受信用広帯域フィルタ（以下「Ｗフィルタ」と言う）２４、増幅回路２５等から構成され、制御部６０によって制御される。同調回路２１で受信されたＲＦ受信信号は混合回路２２でＰＬＬ回路２３からの局所発振信号と混合され、中間周波数（ＩＦ）信号に変換されて、Ｗフィルタ２４に入力される。Ｗフィルタ２４を通過した中間周波数信号は、増幅回路２５でゲイン調整されて狭帯域アナログ波用フィルタ（以下「Ｎフィルタ」と言う）３０及びＩＦ信号処理回路４０に入力される。増幅回路２５におけるゲイン調整は、後段の第１ＡＧＣ回路４１からの第１ＡＧＣ信号又は第２ＡＧＣ回路４２からの第２ＡＧＣ信号によって行われる。また、同調回路２１からは、受信信号強度を示すＳレベル信号が出力される。
【００３０】
ＩＦ信号処理部３０は、Ｗフィルタ２４を通過した中間周波数に基づく第１ＡＧＣ回路４１、Ｎフィルタ３０を通過した中間周波数に基づく第２ＡＧＣ回路４２、第１ＡＧＣ回路４１からの第１ＡＧＣ信号と第２ＡＧＣ回路４２からの第２ＡＧＣ信号とを切替える第１切替回路４３、帯域幅約７０ｋＨｚの下流側フィルタ（以下「Ｌフィルタ」と言う）４４、帯域幅約７０ｋＨｚの上流側フィルタ（以下「Ｈフィルタ」と言う）４５、帯域幅約１８０ｋＨｚの中央部フィルタ（以下「Ｍフィルタ」と言う）４６、Ｃ／Ｎ値比較回路４７、デジタル波用ＩＦ信号経路１００とアナログ波用ＩＦ信号経路１１０とを切替える第２切替回路４８、ＩＢＯＣ−ＡＭ信号出力用のデジタルフィルタ４９、ＩＢＯＣ−ＡＭとＩＢＯＣ−ＦＭとを切替える第３切替回路５０等を含み、制御部６０によって制御される。
【００３１】
ＩＢＯＣデコーダ５２は、ＩＢＯＣ−ＦＭ又はＩＢＯＣ−ＡＭ搬送波のデジタル放送搬送波に含まれるＯＦＤＭ（直交周波数分割変調）副搬送波を復調する機能を有しており、制御部６０によって制御される。ＩＢＯＣデコーダ５２は、復調された信号が音声信号の場合には、音声信号を生成し、切替部８４に出力する。また、復調された信号にＳＩＳデータ（テキストデータや映像データ）が含まれる場合には、不図示の専用デコーダによってテキストデータや映像データを生成し、メモリ７０に記憶する。記憶されたテキストデータや映像データは、表示部（不図示）に所定のタイミングで表示等される。なお、テキストデータや映像データが生成されている場合には、現在復調されている放送波がデジタル放送搬送波であると判別することもできる。
【００３２】
ＡＭ復調部８０及びＦＭ復調部８２は、それぞれＩＢＯＣ−ＦＭ信号からアナログＡＭ信号及びアナログＦＭ信号を復調して切替部８４に出力する。したがって、切替部８４には、ＩＢＯＣデコーダ５２から出力されるデジタルＦＭ又はデジタルＡＭ信号と、ＡＭ復調部８０及びＦＭ復調部８２から出力されるアナログＡＭ信号及びアナログＦＭ信号とが入力されることとなる。制御部６０は、切替部８４を制御して、所望の信号をＤ／Ａ変換回路８６を介してスピーカ９０へ出力する。
【００３３】
操作部７２は、チューニング用、ボリューム設定用、及びシーク動作開始指示用等の各種ボタンやつまみを含む。
【００３４】
なお、図１では、Ｗフィルタ２４を設けたが、Ｗフィルタ２４の代わりに、広帯域フィルタとして、全帯域通過フィルタ（例えば、無減衰の導電体ライン）を設けても良い。後段のＬフィルタ４４、Ｈフィルタ４５、Ｍフィルタ４６によって実質的に所望のフィルタリングを行うことができるからである。
【００３５】
図２は、ＩＢＯＣ方式のハイブリッド放送搬送波のプロファイルを示した図である。図２（ａ）はＦＭ波の例を示し、図２（ｂ）はＡＭ波の例を示している。
【００３６】
図２（ａ）に示すように、アナログ放送搬送波（ＦＭアナログ信号）２０１の周波数帯域上の上側帯及び下側帯に隣接して、下流側（周波数が低い側）のデジタル放送搬送波２０２及び上流側（周波数が高い側）のデジタル放送搬送波２０３が配置されている。デジタル放送搬送波２０２及び２０３は、例えば、ＯＦＤＭ変調された複数の副搬送波から構成され、図示されるように、ＦＭアナログ信号の中心周波数から１３０ｋＨｚ〜１９９ｋＨｚ及び−１３０ｋＨｚ〜−１９９ｋＨｚ離れたスペクトルを占領している。さらに、デジタル放送搬送波２０２及び２０３のピーク値は、ＦＭアナログ信号のピーク値に対して−２５ｄＢ／ｋＨｚに設定されている。また、デジタル放送搬送波２０２及び２０３には同じ内容のデータが含まれている。
【００３７】
また、図２（ａ）には、ＩＢＯＣ方式のハイブリット放送搬送波と、Ｌフィルタ、Ｈフィルタ及びＭフィルタとの配置例も示している。Ｍフィルタ（ＭＦ）は、ＩＢＯＣ方式のハイブリット放送搬送波の中心周波数（割当周波数）が中心周波数となるようにして配置されており、その帯域幅は約１８０ｋＨｚに設定されている。Ｌフィルタ（ＬＦ）は、ＩＢＯＣ方式のハイブリット放送搬送波の中心周波数（割当周波数）より１６５ｋＨｚだけ低い周波数を中心周波数となるようにして配置されており、その帯域幅は約７０ｋＨｚである。Ｈフィルタ（ＨＦ）は、ＩＢＯＣ方式のハイブリット放送搬送波の中心周波数（割当周波数）より１６５ｋＨｚだけ高い周波数を中心周波数となるようにして配置されており、その帯域幅は約７０ｋＨｚである。
【００３８】
このように、Ｍフィルタ（ＭＦ）はＩＢＯＣ方式のハイブリット放送搬送波のアナログ放送搬送波２０１に対応し、Ｌフィルタ（ＬＦ）はＩＢＯＣ方式のハイブリット放送搬送波の下流側デジタル放送搬送波２０２に対応し、Ｈフィルタ（ＨＦ）はＩＢＯＣ方式のハイブリット放送搬送波の上流側デジタル放送搬送波２０３に対応している。
【００３９】
図２（ｂ）に示すように、アナログ放送搬送波（ＡＭアナログ信号）２１１の周波数帯域上の上側帯及び下側帯に隣接して、それぞれ下流側（周波数の低い側）の第１デジタル放送搬送波２１２及び上流側（周波数の高い側）の第１デジタル搬送波２１３が配置されている。デジタル放送搬送波２１２及び２１３は、例えば、ＯＦＤＭ変調された複数の副搬送波から構成され、図示されるように、ＡＭアナログ信号の中心周波数から５ｋＨｚ〜１５ｋＨｚ及び−１５ｋＨｚ〜−１５ｋＨｚ離れたスペクトルを占領している。さらに、ＩＢＯＣデジタル放送搬送波２１２及び２１３のピーク値は、ＡＭアナログ信号のピーク値に対して−２５ｄＢ／ｋＨｚに設定されている。さらに、アナログ放送搬送波２１１と第１のデジタル放送搬送波２１２及び２１３との間には、それぞれ下流側の第２デジタル放送搬送波２１４及び上流側の第２デジタル搬送波２１５が配置されている。また、また、第１デジタル放送搬送波２１２及び２１３には同じ内容のデータが含まれており、第２デジタル放送搬送波２１４及び２１５にも同じ内容のデータが含まれている。
【００４０】
図３は、本発明に係るフィルタ特性の制御フローの一例を示した図である。
【００４１】
図３に示すフローは、予め図１に示すラジオ受信機１の制御部６０等に記憶されたプログラムに従って、主に制御部６０が各構成要素を共同して実行されるものとする。また、図３に示すフローが実行される時点において、ラジオ受信機１の電源はＯＮされ、各構成要素は動作可能な状態に維持されているものとする。さらに、図３に示すフローでは、ＦＭ放送受信時におけるフィルタ特性の制御フローに関するものであるが、ＡＭ放送受信時においても変更適用可能である。
【００４２】
このフローは、ＦＭ放送受信時に所定の時間間隔（一定でも変動しても良い）で繰返し実行される（Ｓ３００）。制御部６０は、選局された放送局の割当周波数に同調回路２１を同調させ、同調回路２１からＳレベル信号を取得する（Ｓ３０１）。制御部６０は、取得したＳレベル信号に基づいて、受信信号の信号強度を判断する。
【００４３】
次に、制御部６０は、Ｌフィルタ４４のＣ／Ｎ比（Carrier to Noise Ratio)の値をＣＮ比較回路４７から取得し（Ｓ３０２）、Ｈフィルタ４５のＣ／Ｎ比の値をＣＮ比較回路４７から取得し（Ｓ３０３）、及びＭフィルタ４７のＣ／Ｎ比の値をＣＮ比較回路４７から取得し（Ｓ３０４）から取得する。
【００４４】
次に、制御部６０は、Ｓ３０１〜３０４で取得したデータに基づいて、最適なフィルタを決定し、フィルタの決定に応じて、デジタル波用ＩＦ信号経路１００とアナログ波用ＩＦ信号経路１１０の系統の切替（Ｓ３０５）と、利用するフィルタの切替（フィルタ特性の制御）を行う（Ｓ３０６）。フィルタの切替は、後述する図４に示すような条件に基づいて決定される。系統の切替は、制御部６０が、第２切替回路４８を制御することにより行う。なお、Ｗフィルタ２４から、増幅回路２５等を介してＬフィルタ４４及び／Ｈフィルタ４５に入力されるルートがデジタル波用ＩＦ信号経路１００であり、Ｗフィルタ２４から、増幅回路２５及びＮフィルタ３０等を介してＭフィルタ４６に入力されるルートがアナログ波用ＩＦ信号経路１１０である。
【００４５】
次に、制御部６０は、切替られたＩＦ信号経路に応じて、ＡＧＣ信号の切替制御を行って（Ｓ３０７）、一連の制御を終了する。即ち、制御部６０は、デジタル波用ＩＦ信号経路１００に切替られた場合には第１ＡＧＣ回路４１からの第１ＡＧＣ信号を用いて増幅回路２５にフィードバックをかけ、アナログ波用ＩＦ信号経路１１０に切替られた場合には第２ＡＧＣ回路４２からの第２ＡＧＣ信号を用いて増幅回路２５にフィードバックをかけるように制御を行う。ＩＦ信号経路によって、フィルタの帯域幅が異なることから、信号レベルをＩＦ信号経路に拘らず略一定にするように制御した。
【００４６】
図４は、フィルタ特性の制御パターンの一例を示した図である。
【００４７】
制御部６０は、信号強度、Ｌフィルタ４４のＣ／Ｎ比の値、Ｈフィルタ４５のＣ／Ｎ比の値、及びＭフィルタ４６のＣ／Ｎ比の値から、切替るフィルタを図４に示すように決定する。
【００４８】
図４において、信号強度が「○」となるのは、同調回路２１から取得するＳレベル信号が所定の閾値より大きい場合であり、各フィルタのＣ／Ｎ比の値が「○」となるのは、Ｃ／Ｎ比較回路４７から取得する各Ｃ／Ｎ比の値が所定の閾値（例えば、５６ｄＢ相当）より大きい場合である。また、「両」と記載されているのは、Ｌフィルタ４４及びＨフィルタ４５の両方を利用することを示す。
【００４９】
図５は、受信状態と利用するフィルタとの関係を示した図である。
【００５０】
図５の各図は、アナログ放送搬送波２０１、下流側デジタル放送搬送波２０２及び上流側デジタル放送搬送波２０３を有するハイブリット放送搬送波が割当周波数（希望チャンネルの中心周波数）５２１に配置されている状態を示している。また、図中５２０及び５２２は、隣接する割当周波数（隣接チャンネルの中心周波数）を示している。
【００５１】
図５（ａ）は、隣接するチャンネルに影響を与える強い放送波が存在しない場合を示している。この場合の信号強度、ＬＦ４４のＣ／Ｎ比値、ＨＦ４５のＣ／Ｎ比値及びＭＦ４６のＣ／Ｎ比値は、図４の４０１に示すようになるので、制御部６０は、ＬＦ４４及びＨＦ４５の両方を利用するようにフィルタの切替を行い、第２切替回路４８を制御してデジタル波用ＩＦ信号経路１００を利用するように切替を行う。また、この場合、下流側デジタル放送搬送波２０２と上流側デジタル放送搬送波２０３に含まれる情報は同じであるので、ＬＦ４４及びＨＦ４５からの信号を合成することによって、より良好な音声信号を再生することが可能となる。
【００５２】
図５（ｂ）は、上流側に隣接するチャンネル５２２にのみ影響を与える強い放送波５００が存在する場合を示している。この場合の信号強度、ＬＦ４４のＣ／Ｎ比値、ＨＦ４５のＣ／Ｎ比値及びＭＦ４６のＣ／Ｎ比値は、図４の４０２に示すようになるので、制御部６０は、ＬＦ４４を利用するようにフィルタの切替を行い、第２切替回路４８を制御してデジタル波用ＩＦ信号経路１００を利用するように切替を行う。この場合、受信に影響を与える強い放送波５００を避けて、下流側デジタル放送搬送波２０２のみに基づいて音声信号の再生を行うので、混信や受信妨害といった問題を排除することが可能となる。
【００５３】
図５（ｃ）は、下流側に隣接するチャンネル５２０にのみ影響を与える強い放送波５１０が存在する場合を示している。この場合の信号強度、ＬＦ４４のＣ／Ｎ比値、ＨＦ４５のＣ／Ｎ比値及びＭＦ４６のＣ／Ｎ比値は、図４の４０３に示すようになるので、制御部６０は、ＨＦ４５を利用するようにフィルタの切替を行い、第２切替回路４８を制御してデジタル波用ＩＦ信号経路１００を利用するように切替を行う。この場合、受信に影響を与える強い放送波５１０を避けて、上流側デジタル放送搬送波２０３のみに基づいて音声信号の再生を行うので、混信や受信妨害といった問題を排除することが可能となる。
【００５４】
図５（ｄ）は、下流側に隣接するチャンネル５２０に影響を与える強い放送波５１０が存在し、上流側に隣接するチャンネル５２２に影響を与える強い放送波５００が存在する場合を示している。この場合の信号強度、ＬＦ４４のＣ／Ｎ比値、ＨＦ４５のＣ／Ｎ比値及びＭＦ４６のＣ／Ｎ比値は、図４の４０４に示すようになるので、制御部６０は、ＭＦ４６を利用するようにフィルタの切替を行い、第２切替回路４８を制御してアナログ波用ＩＦ信号経路１１０を利用するように切替を行う。この場合、音質が劣るアナログ放送搬送波に基づいた音声再生を行うこととなるが、受信に影響を与える強い放送波５００及び５１０を避けているので、混信や受信妨害といった問題を排除することが可能となる。
【００５５】
上記実施形態においては、信号強度、ＬＦ４４のＣ／Ｎ比値、ＨＦ４５のＣ／Ｎ比値及びＭＦ４６のＣ／Ｎ比値に基づいて、フィルタの切替及びＩＦ信号経路の切替を行った。しかしながら、フィルタの切替及びＩＦ信号経路の切替を、ＬＦ４４のＣ／Ｎ比値、ＨＦ４５のＣ／Ｎ比値及びＭＦ４６のＣ／Ｎ比値のみに基づいて行うように制御することもできる。さらに、フィルタの切替及びＩＦ信号経路の切替を、ＬＦ４４のＣ／Ｎ比値及びＨＦ４５のＣ／Ｎ比値のみに基づいて行うこともできる。
【００５６】
上記実施形態においては、所望のチャンネルに対応したＲＦ信号の信号強度、ＬＦ４４のＣ／Ｎ比値、ＨＦ４５のＣ／Ｎ比値及びＭＦ４６のＣ／Ｎ比値に基づいて、フィルタの切替及びＩＦ信号経路の切替を行った。しかしながら、フィルタの切替及びＩＦ信号経路の切替に当たって、所望のチャンネルに対応したＲＦ信号の信号強度の代わりに、隣接するチャンネルに対応したＲＦ信号の信号強度を用いても良い。例えば、図５（ｂ）の場合、上流側の隣接チャンネル５２２に対応したＲＦ信号の信号強度と、下流側の隣接チャンネル５２０に対応したＲＦ信号の信号強度を用いて、どのフィルタに切替えるかの判断を行うことが可能である。
【００５７】
このように、本発明に係るラジオ受信機及び受信方法によれば、常に受信に影響を与える強い放送波を避けるようにフィルタの切替及び／又はＩＦ信号経路の切替を行うので、混信や受信妨害といった問題を排除することが可能となる。
【００５８】
図６は、デジタル系統とアナログ系統との切替（ブレンド操作）を説明するための図である。
【００５９】
本発明に係るラジオ受信機１が車両等に搭載された場合、車両の移動に伴って受信状況が変化し、受信状況の変化に応じて、フィルタやＩＦ信号経路の切替が必要な場合が発生する。以下、受信状況の変化に応じたデジタル系統とアナログ系統との切替（ブレンド操作）について説明する。
【００６０】
図６（ａ）は、信号強度及びＣ／Ｎ比値に基づくデジタル系統とアナログ系統との切替タイミングを示している。図６（ａ）において、Ｈレベル信号はデジタル系統に対応し、Ｌレベル信号はアナログ系統に対応している。また、図６（ｂ）は、実際の音声出力のブレンド操作の一例を示している。図６（ｂ）では、アナログ系統に基づく音声出力信号６０２とデジタル系統に基づく音声出力信号６０３が示されている。
【００６１】
図６において、時間ｔ１ではアナログ系統に基づく音声出力がなされている状態を示している（図５（ｄ）の状態）。即ち、この状態では、ＭＦ４６及びアナログ波用ＩＦ信号経路１１０に切替られ、アナログ放送搬送波に対応した音声出力がなされている。
【００６２】
図６において、時間ｔ２では、受信状況が好転した状態を示している（例えば、図５（ｃ）の状態）。しかしながら、直ぐに、アナログ系統からデジタル系統への切替を行わず、両方の系統に基づく音声出力をブレンドしながら、徐々にデジタル系統に基づく音声出力となるように制御を行う。例えば、ブレンド期間６２０において、アナログ系統の音声出力を３０ｍｓ当たり１０％ずつ減少させていき、逆にデジタル系統の音声出力を３０ｍｓ当たり１０％ずつ増加させていくように制御する。
【００６３】
したがって、時間ｔ３において、完全にデジタル系統に基づく音声出力に切換わる。即ち、この状態では、例えば、ＦＨ４５及びデジタル波用ＩＦ信号経路１００に切替られ、上流側デジタル放送搬送波に対応した音声出力がなされている。
【００６４】
図６において、時間ｔ４では、再度受信状況が悪化した状態を示している（例えば、図５（ｄ）の状態）。しかしながら、直ぐに、アナログ系統からデジタル系統への切替を行わず、ヒステリシス設定期間６１０だけ待ってからアナログ系統への切替を開始するように制御する。これは、頻繁な系統の切替や、音切れを防止しつつ、音質の良いデジタル系統による音声出力をできるだけ伸ばすためである。なお、ヒステリシス設定期間６１０は、例えば、３００ｍｓに設定することができる。
【００６５】
ヒステリシス設定期間６１０の後、時間ｔ５からアナログ系統への切替を行う。例えば、ブレンド期間６３０において、デジタル系統の音声出力を３０ｍｓ当たり１０％ずつ減少させていき、逆にアナログ系統の音声出力を３０ｍｓ当たり１０％ずつ増加させていくように制御する。したがって、時間ｔ６では、ＭＦ４６及びアナログ波用ＩＦ信号経路１１０に切替られ、アナログ放送搬送波に対応した音声出力がなされている。
【００６６】
図６に示したように、デジタル系統とアナログ系統の切替を行うことによって、車両の移動に伴う受信状態の変化に拘らず、良好な音声出力を維持することが可能となる。なお、上述したブレンド期間、ヒステリシス設定は一例であって、状況に応じて、改変することが可能である。
【図面の簡単な説明】
【００６７】
【図１】本発明に係るラジオ受信機の概略構成を示すブロック図である。
【図２】ＩＢＯＣ方式のハイブリッド放送搬送波を示す図である。
【図３】本発明に係る受信方法を示す制御フロー図である。
【図４】フィルタ特性の制御の一例を示す図である。
【図５】受信状態とフィルタ切替の関係を示す図である。
【図６】ブレンド操作を説明するための図である。
【図７】混信・受信妨害の発生を説明するための図である。
【符号の説明】
【００６８】
１    ラジオ受信機
１０    アンテナ
２０    チューナ部
４０    ＩＦ信号処理部
４４    Ｌフィルタ
４５    Ｈフィルタ
４６    Ｍフィルタ
５２    ＩＢＯＣデコーダ
６０    制御部
７０    メモリ
７２    操作部
９０    スピーカ
１００    デジタル波用ＩＦ信号経路
１１０    アナログ波用ＩＦ信号経路
【図１】
2007142713.tif 000003
【図２】
2007142713.tif 000004
【図３】
2007142713.tif 000005
【図４】
2007142713.tif 000006
【図５】
2007142713.tif 000007
【図６】
2007142713.tif 000008
【図７】
2007142713.tif 000009